(57)【要約】  暖色化減光（dim-to-warm）効果を達成するための発光ダイオード（ＬＥＤ）照明システム用の制御回路が提供される。当該制御回路は、ＬＥＤコントローラと、ウォーム相関色温度（“ＣＣＴ”）ＬＥＤのセットに結合されたクランプ回路と、クールＬＥＤのセットに結合されたスイッチと、上記クランプ回路及び上記スイッチに結合されたフィードバック回路とを含む。ＬＥＤコントローラは、入力電流に基づき、上記クランプ回路を制御して、ウォームＬＥＤのセットを通る電流をクランプするように構成され、且つ、上記スイッチを制御して、入力電流が第１の閾レベルよりも大きいことに応答してクールＬＥＤのセットをオンに切り換え、入力電流が前記第１の閾レベルよりも低いことに応答してクールＬＥＤのセットをオフに切り換えるように構成される。フィードバック回路は、ウォームＬＥＤのセットからクールＬＥＤのセットに電流を迂回させるように構成される。
2019515440.tif 000002
【特許請求の範囲】
【請求項１】
最小輝度−最大減光レベルと最大輝度−最小減光レベルとの間で暖色化減光効果を達成するための発光ダイオード（ＬＥＤ）照明システム用の制御回路であって、当該制御回路は、
ＬＥＤコントローラと、
ウォーム相関色温度（“ＣＣＴ”）ＬＥＤのセットに結合されたクランプ回路と、
クールＣＣＴ  ＬＥＤのセットに結合されたスイッチと、
前記クランプ回路及び前記スイッチに結合されたフィードバック回路と
を有し、
前記ＬＥＤコントローラは、
調節可能な入力電流の大きさを検知し、
前記入力電流に基づき、前記クランプ回路を制御して、前記ウォームＣＣＴ  ＬＥＤのセットを通る電流をクランプ電流レベルにクランプし、
前記スイッチを制御して、前記入力電流が第１の閾レベルよりも大きいことに応答して前記クールＣＣＴ  ＬＥＤのセットをオンに切り換え、前記入力電流が前記第１の閾レベルよりも低いことに応答して前記クールＣＣＴ  ＬＥＤのセットをオフに切り換える
ように構成され、
前記フィードバック回路は、前記入力電流が第２の閾レベルを超えること応答して、前記ウォームＣＣＴ  ＬＥＤのセットから前記クールＣＣＴ  ＬＥＤのセットに電流を迂回させるように構成される、
制御回路。
【請求項２】
前記クランプ回路は、第１のトランジスタと、第１のツェナーダイオードと、第１の抵抗と、第２の抵抗とを有し、
前記第１のツェナーダイオードは、前記第１の抵抗及び前記第２の抵抗を介して、前記ウォームＣＣＴ  ＬＥＤのセットを通る電流を前記クランプ電流レベルでクランプするように、前記第１のトランジスタのゲート電圧を制御するよう構成される、
請求項１に記載の制御回路。
【請求項３】
前記スイッチは、前記クールＣＣＴ  ＬＥＤのセットに結合された第２のトランジスタを有する、請求項２に記載の制御回路。
【請求項４】
前記ＬＥＤコントローラは、前記第１のツェナーダイオードと、第２のツェナーダイオードと、第３の抵抗と、第４の抵抗と、第５の抵抗と、第６の抵抗とを有し、
前記第３の抵抗、前記第４の抵抗、及び前記第２のツェナーダイオードは、前記第１のツェナーダイオードが導通することに応答して、前記第２のトランジスタを導通させるように構成される、請求項３に記載の制御回路。
【請求項５】
前記フィードバック回路は、ショットキーダイオードと、第７の抵抗とを有し、前記ショットキーダイオード及び前記第７の抵抗は、前記第２のトランジスタのソース電圧が前記第１のトランジスタのソース電圧よりも高いことに応答して、前記第２のトランジスタから前記第７の抵抗を介して前記第１の抵抗に電流を迂回させることで、前記第１のトランジスタの前記ゲート電圧を低下させ、それにより、前記ウォームＣＣＴ  ＬＥＤのセットを通る電流を減少させるように構成される、請求項４に記載の制御回路。
【請求項６】
前記第１の抵抗は、前記第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項５に記載の制御回路。
【請求項７】
前記第２のツェナーダイオードは、前記第２のトランジスタのゲートと前記グランド端子とに結合され、前記第２のツェナーダイオードの制御端子が、前記第３の抵抗及び前記第４の抵抗に結合され、
前記第３の抵抗は、前記第１のトランジスタの前記ゲートに結合され、
前記第４の抵抗は、前記グランド端子と前記第３の抵抗とに結合され、
前記第５の抵抗は、高電圧と前記第２のトランジスタの前記ゲートとに結合され、
前記第６の抵抗は、前記第２のトランジスタのソースと前記グランド端子とに結合される、
請求項６に記載の制御回路。
【請求項８】
前記ショットキーダイオードは、前記第２のトランジスタの前記ソースと前記第７の抵抗とに結合され、
前記第７の抵抗は、前記第１のトランジスタの前記ソースに結合される、
請求項７に記載の制御回路。
【請求項９】
前記ウォームＣＣＴ  ＬＥＤはおよそ４０００Ｋの色温度を持ち、前記クールＣＣＴ  ＬＥＤはおよそ２２００Ｋの色温度を持つ、請求項１に記載の制御回路。
【請求項１０】
ＬＥＤ照明システムを制御する方法であって、
ウォーム相関色温度（“ＣＣＴ”）ＬＥＤのセット及びクールＣＣＴ  ＬＥＤのセットを制御するための調節可能な入力電流の大きさを検出することと、
前記入力電流に基づき、クランプ回路を制御して、前記ウォームＣＣＴ  ＬＥＤのセットを通る電流をクランプ電流レベルにクランプすることと、
スイッチを制御して、前記入力電流が第１の閾レベルよりも大きいことに応答して前記クールＣＣＴ  ＬＥＤのセットをオンに切り換え、前記入力電流が前記第１の閾レベルよりも低いことに応答して前記クールＣＣＴ  ＬＥＤのセットをオフに切り換えることと、
前記入力電流が第２の閾レベルを超えること応答して、前記ウォームＣＣＴ  ＬＥＤのセットから前記クールＣＣＴ  ＬＥＤのセットに電流を迂回させることと、
を有する方法。
【請求項１１】
前記電流をクランプすることは、第１の抵抗及び第２の抵抗を介して、前記クランプ電流レベルにて、前記ウォームＣＣＴ  ＬＥＤのセットに結合された第１のトランジスタのゲート電圧を制御することを有し、
前記第１の抵抗は、第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項１０に記載の方法。
【請求項１２】
前記クールＣＣＴ  ＬＥＤのセットをオンに切り換えることは、前記第１のツェナーダイオードが導通することに応答して第２のトランジスタを導通させることを有する、請求項１１に記載の方法。
【請求項１３】
前記ウォームＣＣＴ  ＬＥＤのセットから前記クールＣＣＴ  ＬＥＤのセットに電流を迂回させることは、
前記第２のトランジスタのソース電圧が前記第１のトランジスタのソース電圧よりも高いことに応答して、前記第２のトランジスタから第３の抵抗を介して第４の抵抗に電流を迂回させることで、前記第１のトランジスタのゲート電圧を低下させ、それにより、前記ウォームＣＣＴ  ＬＥＤのセットを通る電流を減少させる
ことを有する、請求項１２に記載の方法。
【請求項１４】
ＬＥＤ照明システムであって、
入力電流を調節可能に設定するように構成された調光制御部と、
ウォーム相関色温度（“ＣＣＴ”）ＬＥＤのセットと、
クールＣＣＴ  ＬＥＤのセットと、
ＬＥＤコントローラと、
前記ウォームＣＣＴ  ＬＥＤのセットに結合されたクランプ回路と、
前記クールＣＣＴ  ＬＥＤのセットに結合されたスイッチと、
前記クランプ回路及び前記スイッチに結合されたフィードバック回路と
を有し、
前記ＬＥＤコントローラは、
前記入力電流の大きさを検知し、
前記入力電流に基づき、前記クランプ回路を制御して、前記ウォームＣＣＴ  ＬＥＤのセットを通る電流をクランプ電流レベルにクランプし、
前記スイッチを制御して、前記入力電流が第１の閾レベルよりも大きいことに応答して前記クールＣＣＴ  ＬＥＤのセットをオンに切り換え、前記入力電流が前記第１の閾レベルよりも低いことに応答して前記クールＣＣＴ  ＬＥＤのセットをオフに切り換える
ように構成され、
前記フィードバック回路は、前記入力電流が第２の閾レベルを超えること応答して、前記ウォームＣＣＴ  ＬＥＤのセットから前記クールＣＣＴ  ＬＥＤのセットに電流を迂回させるように構成される、
ＬＥＤ照明システム。
【請求項１５】
前記クランプ回路は、第１のトランジスタと、第１のツェナーダイオードと、第１の抵抗と、第２の抵抗とを有し、
前記第１のツェナーダイオードは、前記第１の抵抗及び前記第２の抵抗を介して、前記ウォームＣＣＴ  ＬＥＤのセットを通る電流を前記クランプ電流レベルでクランプするように、前記第１のトランジスタのゲート電圧を制御するよう構成される、
請求項１４に記載のＬＥＤ照明システム。
【請求項１６】
前記スイッチは、前記クールＣＣＴ  ＬＥＤのセットに結合された第２のトランジスタを有する、請求項１５に記載のＬＥＤ照明システム。
【請求項１７】
前記ＬＥＤコントローラは、前記第１のツェナーダイオードと、第２のツェナーダイオードと、第３の抵抗と、第４の抵抗と、第５の抵抗と、第６の抵抗とを有し、
前記第３の抵抗、前記第４の抵抗、及び前記第２のツェナーダイオードは、前記第１のツェナーダイオードが導通することに応答して、前記第２のトランジスタを導通させるように構成される、請求項１６に記載のＬＥＤ照明システム。
【請求項１８】
前記フィードバック回路は、ショットキーダイオードと、第７の抵抗とを有し、前記ショットキーダイオード及び前記第７の抵抗は、前記第２のトランジスタのソース電圧が前記第１のトランジスタのソース電圧よりも高いことに応答して、前記第２のトランジスタから前記第７の抵抗を介して前記第１の抵抗に電流を迂回させることで、前記第１のトランジスタの前記ゲート電圧を低下させ、それにより、前記ウォームＣＣＴ  ＬＥＤのセットを通る電流を減少させるように構成される、請求項１７に記載のＬＥＤ照明システム。
【請求項１９】
前記第１の抵抗は、前記第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項１８に記載のＬＥＤ照明システム。
【請求項２０】
前記第２のツェナーダイオードは、前記第２のトランジスタのゲートと前記グランド端子とに結合され、前記第２のツェナーダイオードの制御端子が、前記第３の抵抗及び前記第４の抵抗に結合され、
前記第３の抵抗は、前記第１のトランジスタの前記ゲートに結合され、
前記第４の抵抗は、前記グランド端子と前記第３の抵抗とに結合され、
前記第５の抵抗は、高電圧と前記第２のトランジスタの前記ゲートとに結合され、
前記第６の抵抗は、前記第２のトランジスタのソースと前記グランド端子とに結合される、
請求項１９に記載のＬＥＤ照明システム。
【発明の詳細な説明】
【技術分野】
【０００１】
本出願は、２０１６年４月２７日に出願された米国仮特許出願第６２／３２８，５２３号及び２０１６年６月６日に出願された欧州仮特許出願第１６１７３１２５．２号の利益を主張するものであり、あたかも完全に記載されているかのように、それらの内容をここに援用する。
【０００２】
本発明は、発光ダイオード（ＬＥＤ）を使用する一般照明に関し、特に、ＬＥＤ光が調光器によって減光されるにつれて、ＬＥＤ光を徐々に暖色にさせる（より低いＣＣＴを持つようにさせる）技術に関する。
【背景技術】
【０００３】
白熱電球は、審美的に好ましい照明特性を有する。例えば、ユーザが、電球を通る平均電流を減少させるように調光器を制御することによって、光を薄暗くさせるにつれて、白熱電球は徐々に赤くなる（暖色になる）。ＬＥＤ技術には数多くの進歩が為されているが、白熱電球によって典型的に提供される光の品質を達成する助けとなる更なる進歩が望まれる。
【発明の概要】
【０００４】
最小輝度−最大減光レベルと最大輝度−最小減光レベルとの間で暖色化減光（ｄｉｍ−ｔｏ−ｗａｒｍ）効果を達成するための発光ダイオード（ＬＥＤ）照明システム用の制御回路が提供される。当該制御回路は、ＬＥＤコントローラと、ウォーム相関色温度（“ＣＣＴ”）ＬＥＤのセットに結合されたクランプ回路と、クールＣＣＴ  ＬＥＤのセットに結合されたスイッチと、上記クランプ回路及び上記スイッチに結合されたフィードバック回路とを含む。上記ＬＥＤコントローラは、調節可能な入力電流の大きさを検知し、上記入力電流に基づき、上記クランプ回路を制御して、上記ウォームＣＣＴ  ＬＥＤのセットを通る電流をクランプ電流レベルにクランプし、上記スイッチを制御して、上記入力電流が第１の閾レベルよりも大きいことに応答して上記クールＣＣＴ  ＬＥＤのセットをオンに切り換え、上記入力電流が上記第１の閾レベルよりも低いことに応答して上記クールＣＣＴ  ＬＥＤのセットをオフに切り換えるように構成される。上記フィードバック回路は、上記入力電流が第２の閾レベルを超えること応答して、上記ウォームＣＣＴ  ＬＥＤのセットから上記クールＣＣＴ  ＬＥＤのセットに電流を迂回させるように構成される。
【図面の簡単な説明】
【０００５】
【図１】どちらも白色光を発するウォームＬＥＤのストリング及びクールＬＥＤのストリングを例示しており、さらに、入力電圧が最小電流から最大電流へと変化するときに各ストリングへの電流を制御する暖色化減光回路を例示している。
【図２】入力電流の全範囲にわたっての、相対的な、ウォームＬＥＤに供給される電流（Ｉｗ）及びクールＬＥＤに供給される電流（Ｉｃ）の例である。
【図３】図２の暖色化減光回路内の様々な機能ユニットを例示している。
【図４】暖色化減光回路並びにウォームＬＥＤ及びクールＬＥＤの回路図である。
【図５】ハロゲン電球の理想的なＣＣＴを示すとともに、光が最大から最小へと暗くされるときのランプのシミュレーションした総合ＣＣＴを示すグラフである。
【図６】図６Ａ−６Ｂは、アナログ調光信号を受信するタップ付き線形ドライバによって４つの暖色化減光回路への入力電流が提供され、４つの暖色化減光回路が各々同じ調光レベルで同じＣＣＴを作り出すように使用及び設計される本発明の一実施形態を例示している。
【図７】図６のシステムで使用され得る好適な従来技術のタップ付き線形レギュレータの（データシートからの）機能図である。
【０００６】
同一又は同様である要素には同じ参照符号を付す。
【発明を実施するための形態】
【０００７】
一実施形態において、ＬＥＤの２つの直列ストリングがランプ内で使用される。第１のストリングは、例えば、４０００ＫのＣＣＴをもたらす調整された蛍光体を有するＧａＮ系ＬＥＤなどの、複数の同じクール（寒色）ＬＥＤを含む。第２のストリングは、例えば、クールＬＥＤと同じＧａＮ系ＬＥＤダイを用いるが、２２００ＫのＣＣＴをもたらす調整された蛍光体を使用したものなど、複数の同じウォーム（暖色）ＬＥＤを含む。他の実施形態では、ストリングの数及びＣＣＴは異なり得る。どちらのＣＣＴも白色光と考えられる。
【０００８】
２つのストリングの一端に、例えば整流された幹線電圧などの電源が与えられ、２つのストリングの他端は、暖色化減光（ｄｉｍ−ｔｏ−ｗａｒｍ）回路の異なる端子に接続される。
【０００９】
暖色化減光回路の入力に、調節可能なアナログ（非ＰＷＭ）電流が供給され、その入力電流レベルは、ユーザが好適な調光器を制御することによって調節され得る。
【００１０】
最小入力電流と第１入力電流レベルとの間で、クールＬＥＤストリングはスイッチによって切断され、全ての入力電流がウォームＬＥＤストリングを流れる。故に、この調光は、第１入力電流レベルに至るまで、専らウォームＬＥＤの輝度を制御する。第１入力電流レベルに至るまで、ランプのＣＣＴ出力は一定の暖色温度である。
【００１１】
第１入力電流レベルより上であるが、第２入力電流レベルよりも下に、入力電流が調節されるとき、ウォームＬＥＤストリングを通る電流は一定電流にクランプされたまま、上記スイッチが閉じられて、入力電流の一部がクールＬＥＤストリングを流れる。故に、入力電流のこの範囲内で、この調光は、ウォームＬＥＤの輝度が一定のままでありながら、専らクールＬＥＤの輝度を制御する。ランプのＣＣＴ出力は、これら２つのＣＣＴの変わりゆく混ぜ合わせであり、入力電流が第２入力電流レベルに近づくにつれてＣＣＴが増加する。
【００１２】
第２入力電流レベルよりも高く、最大電流へと、入力電流が調節されるとき、クールＬＥＤは、増大する入力電流によって制御されたまま、ウォームＬＥＤへの電流が、最大入力電流でのゼロまで徐々に減少される。従って、ランプのＣＣＴ出力は、入力電流レベルがその最大値に近づくにつれて、クールＬＥＤのＣＣＴに近づく。
【００１３】
この技術を使用すると、４０００Ｋ−２２００Ｋまでの全範囲のＣＣＴが得られ、双方の組のＬＥＤが白色光を出力するので、変化するＣＣＴを生成する異なるＬＥＤからの光のいっそう自然な組合せが存在する。動作が（ＰＷＭ又は高周波スイッチングなしの）線形であるため、ＥＭＩは発生せず、フィルタは不要である。動作が線形であるため、タップ付き線形レギュレータを含め、非常に小さい線形レギュレータを用いて入力電流を作り出すことができる。
【００１４】
一実施形態において、暖色化減光回路用のドライバとして、タップ付き線形ドライバが使用される。タップ付き線形レギュレータが、ＡＣ幹線電圧を整流する全波ダイオードブリッジから電圧を受け取り、ＤＣ電圧がＡＣ周波数の２倍で変化するときに、２つのＬＥＤストリングの異なるセグメントに次々に電流を供給する。これは、非常に小型で効率的な制御システムをもたらす。
【００１５】
図１は１つの実施形態を例示している。電源１０は、整流された幹線電圧、バッテリ、レギュレータ、又はその他の供給源とし得る。白色光のクールＬＥＤ１２の直列ストリングは、そのアノード端を電源１０に結合させており、白色光のウォームＬＥＤ１４の直列ストリングも、そのアノード端を電源１０に結合させている。ランプの所望の最大光出力に応じて、各タイプのＬＥＤの複数のストリングが存在してもよく、そして、各タイプのＬＥＤのそれらストリングが同一に制御されるように、各タイプのＬＥＤのそれらストリングが並列に接続され得る。
【００１６】
クールＬＥＤは、例えばＹＡＧ蛍光体などの好適な蛍光体をダイ上に堆積させた、従来からの、商業的に入手可能な、青色光を発するＧａＮ系ＬＥＤダイとし得る。その他の蛍光体が使用されてもよい。このようなクールＬＥＤ１２は典型的に、３０００−６０００Ｋの範囲内のＣＣＴを持つことになる。この例では、このＣＣＴは４０００Ｋである。
【００１７】
ウォームＬＥＤ１４は、例えば、ＹＡＧ蛍光体に、琥珀色又は赤色の光を発するいっそう暖色の蛍光体を加えたものなどをダイ上に堆積させた、従来からの、商業的に入手可能な、青色光を発するＧａＮ系ＬＥＤダイとし得る。その他の蛍光体が使用されてもよい。このようなウォームＬＥＤ１４は典型的に、１９００−２７００Ｋの範囲内のＣＣＴを持つことになる。この例では、このＣＣＴは２２００Ｋである。
【００１８】
ウォームＬＥＤダイ及びクールＬＥＤダイは同じタイプのダイとし得るので、それらは同じ順方向電圧降下を有する。一実施形態において、同数のＬＥＤがこれらストリングの各々内にあり、故に、これらのストリングは同じ順方向電圧降下を有する。
【００１９】
クールＬＥＤ１２及びウォームＬＥＤ１４の相対的な輝度（光束）は、暖色化減光回路１６によって決定される。暖色化減光回路１６は、別々の駆動電流をウォームＬＥＤ１４（Ｉｗ）及びクールＬＥＤ１２（Ｉｃ）に出力する３端子回路とし得る。暖色化減光回路１６への入力は、ランプの全体的な調光を設定する外部電流源１８からの調節可能なアナログ電流（入力電流Ｉｉｎ）である。低い入力電流Ｉｉｎは、相対的に低いＣＣＴを持った、ランプの低い全体輝度をもたらし、高い入力電流Ｉｉｎは、相対的に高いＣＣＴを持った、ランプの高い全体輝度をもたらす。
【００２０】
図２は、入力電流Ｉｉｎの全範囲にわたっての、ウォームＬＥＤ１４を通る電流Ｉｗ（ウォームＬＥＤ１４の輝度に直接対応する）及びクールＬＥＤ１２を通る電流Ｉｃ１又はＩｃ２（クールＬＥＤ１２の輝度に直接対応する）を例示している。電流Ｉｃ１は、最小入力電流Ｉｉｎ（ｍｉｎ）と中間入力電流Ｉｉｎ１との間でクールＬＥＤ１２が完全にオフである場合の電流を表し、電流Ｉｃ２は、Ｉｉｎ（ｍｉｎ）とＩｉｎ１との間でクールＬＥＤ１２が幾分はオンであり、それ故に、Ｉｉｎ範囲全体にわたってＣＣＴ変化が連続的である場合の電流を表している。暖色化減光回路１６は、Ｉｃ１又はＩｃ２の電流カーブを達成するように設計されることができる。
【００２１】
最小入力電流Ｉｉｎ（ｍｉｎ）は最大減光レベル（最も明るくなく、最も暖色である）に対応し、最大入力電流Ｉｉｎ（ｍａｘ）は最小減光レベル（最も明るく、最も冷色である）に対応する。
【００２２】
以下の説明は、暖色化減光回路１６が電流Ｉｃ１を出力すると仮定している。Ｉｉｎ（ｍｉｎ）とＩｉｎ１との間で、暖色化減光回路１６は、電流Ｉｗのみを出力して、調節可能な入力電流Ｉｉｎに比例する電流でウォームＬＥＤ１４を駆動し、それ故に、ランプのＣＣＴ出力は２２００Ｋである。Ｉｉｎ１とＩｉｎ２との間で、暖色化減光回路１６は、ウォームＬＥＤ１４の輝度が比較的一定であるようにＩｗをクランプし、その間に、入力電流Ｉｉｎに比例してＩｃ１が上昇する。故に、Ｉｉｎ１とＩｉｎ２との間では、ランプの総合的な（知覚される）ＣＣＴ出力が冷たさを増していくことになる。Ｉｉｎ２とＩｉｎ（ｍａｘ）との間で、Ｉｗはランプダウンされ、その間、入力電流Ｉｉｎに比例してＩｃ１がなおも上昇する。様々な調光レベルにおけるこのランプの総合ＣＣＴは、ハロゲンランプ又は白熱電球の変化するＣＣＴに概して一致する。
【００２３】
図３は、システム全体を例示しており、暖色化減光回路１６、ウォームＬＥＤ１４のストリング、クールＬＥＤのストリング１２、及びＩｉｎを出力する調光制御用調節可能電流源１８を示している。
【００２４】
Ｉｉｎ１未満のＩｉｎでは、クールＬＥＤ１２に電流が流れず、全ての入力電流ＩｉｎがウォームＬＥＤ１４を流れるように、制御回路２２（比較器）がスイッチ２４をオフに保つ。
【００２５】
ＩｉｎがＩｉｎ１を超えると、制御回路２２は、クールＬＥＤ１２を通る電流ＩｃがＩｉｎに概して比例するよう、スイッチ２４をオンにする。制御回路２２はまた、Ｉｉｎ１とＩｉｎ２（図２）との間でウォームＬＥＤ１４の輝度が変化しないよう、クランプ回路２６を制御して電流Ｉｗを固定レベルにクランプする。
【００２６】
入力電流がＩｉｎ２を超えると、フィードバック回路２８が順バイアスされることになって、漸進的に一部電流を回路の左レグに迂回させ、それが、ウォームＬＥＤ１４を通る電流Ｉｗを漸進的に減少させるようにクランプ２６を制御する。
【００２７】
図３で得られる電流Ｉｗ及びＩｃは、図２中の電流ＩｗとＩｃ１と一致する。
【００２８】
図４は、図３のシステムの概略的な回路図である。図４の回路は、４端子のパッケージングされたＩＣとして形成されることができ、それらの端子のうち２つは、ウォームＬＥＤの直列ストリング及びクールＬＥＤの直列ストリングのカソード端に接続され、第３の端子はｖｄｄローカル端子（図４にラベルを付している）であり、第４の端子はグランドに結合される。２つの直列ストリングのアノードに、調節可能な調光電流が結合される。
【００２９】
制御可能なツェナーダイオードＵ１及びＵ２は、Ｄｉｏｄｅｓ社によるＴＬＶ４３１アジャスタブルシャントレギュレータとすることができ、そのデータシートをここに援用する。この好適なアジャスタブルシャントレギュレータは、１．２５Ｖの基準電圧（閾電圧）で、１８Ｖのカソード−アノード定格を有する。シャントには必ずしもツェナーダイオードが必要とされるわけではないが、ツェナーダイオード記号がシャントレギュレータの機能を表している。その他の制御可能なシャントレギュレータ回路が使用されてもよい。ダイオードＵ１及びＵ２への入力制御電圧が、クランプ電圧を制御する。入力電流Ｉｉｎ（ｍｉｎ）とＩｉｎ１（図２）との間でダイオードＵ１は事実上非導通であり、プルアップ抵抗Ｒ５によってＭＯＳＦＥＴ  Ｍ１のゲートがハイレベルに引き上げられて、ＭＯＳＦＥＴ  Ｍ１をターンオンさせる。結果として、全ての入力電流ＩｉｎがＭＯＳＦＥＴ  Ｍ１及びウォームＬＥＤ１４を流れる。
【００３０】
ダイオードＵ１、抵抗Ｒ１、Ｒ５、Ｒ８、及びＭＯＳＦＥＴ  Ｍ１が電流レギュレータ（クランプ回路２６）を形成し、ＭＯＳＦＥＴ  Ｍ１のゲート電圧がＩｗを決定する。ツェナーダイオードＵ１の制御端子は、抵抗Ｒ１の上ノードに結合される。特定の回路例において、入力電流Ｉｉｎが、電流Ｉｗを、抵抗Ｒ１の上ノードにおける電圧が１．２５ボルトになるポイントまで上昇させると、ツェナーダイオードＵ１が導通して、ゲート電圧を、図２におけるクランプされた電流Ｉｗを導通するのに必要なレベルにクランプする。１．２５Ｖという制御電圧が、抵抗Ｒ１の上ノードに１．２５Ｖの電圧を維持するのに十分なだけツェナーダイオードＵ１を導通させるように、（ツェナーダイオードＵ１によって表される）ＴＬ４３１に基準電圧が設定される。制御電圧が１．２５ボルトに達する前、ツェナーダイオードＵ１はオフである。ツェナーダイオードＵ１によるクランプは図２のＩｉｎ１で開始する。従って、Ｉｉｎ１とＩｉｎ２との間で、ＭＯＳＦＥＴ  Ｍ１を流れ抜ける電流Ｉｗは１．２５Ｖ／Ｒ１にクランプされることになる。それ故に、Ｒ１の値がＩｉｎ１の位置を決める。制御電圧に関して１．２５ボルトという特定の値が記載されているが、技術的に実現可能な如何なる制御電圧が使用されてもよい。
【００３１】
抵抗Ｒ６、Ｒ７、及び第２のアジャスタブルツェナーダイオードＵ２（別のＴＬ４３１）が、ＭＯＳＦＥＴ  Ｍ１のゲート電圧をモニタする比較器として振る舞う。抵抗Ｒ１を通る電流Ｉｗがクランプ電流に達する前、ツェナーダイオードＵ１は最小電流を引き出す。抵抗Ｒ５は、ツェナーダイオードＤ１によって設定され（且つキャパシタＣ１によってフィルタリングされる）一定の固定電圧に接続され、ＭＯＳＦＥＴ  Ｍ１のゲートをハイ（ｈｉｇｈ）に引き上げる。ここで、ゲート電圧は、ツェナーダイオードＤ１によって設定される電圧を（Ｒ６＋Ｒ７）／（Ｒ５＋Ｒ６＋Ｒ７）に乗じたものに等しい。ＭＯＳＦＥＴ  Ｍ１を通る電流がレギュレータのクランプ電流（Ｉｉｎ１にある）に達すると、ツェナーダイオードＵ１（ＴＬ４３１）が導通してゲート電圧を必要なレベルまで引っぱり、ＭＯＳＦＥＴ  Ｍ１を通る電流をクランプする。これは、抵抗Ｒ６及びＲ７で形成される抵抗分圧器における電圧を低下させ、そして、分圧された電圧が、制御可能なツェナーダイオードＵ２（ＴＬ４３１）への制御電圧をその閾電圧未満に低下させることで、ツェナーダイオードＵ２が開回路として作用するようにされる。そうすることによって、抵抗Ｒ４がＭＯＳＦＥＴ  Ｍ２（図３のスイッチ２４）のゲート電圧をハイに引き上げ、それが入力電流Ｉｉｎ１でＭＯＳＦＥＴ  Ｍ２をターンオンさせる。抵抗Ｒ１を通る電流がクランプ電流に達する前後でのゲート電圧の変化が相対的に大きいので、この回路は、ＴＬ４３１アジャスタブルシャントレギュレータの内部基準閾電圧の広がりの影響をあまり受けない。より具体的には、ＴＬ４３１アジャスタブルシャントレギュレータの内部基準電圧に一致するようにＭＯＳＦＥＴ  Ｍ２の固定ターンオン閾値を設計しようとする場合、その基準電圧の広がりに起因して不一致が発生し得る。ここで提供される技術では、Ｍ２のターンオン閾値はＴＬ４３１アジャスタブルシャントレギュレータの内部基準電圧の絶対値に従おうとするものではなく、故に、その広がりの影響を受けにくい。
【００３２】
キャパシタＣ２及び抵抗Ｒ１０が、閉ループ安定性を維持する補償ネットワークを形成する。
【００３３】
次に、入力電流Ｉｉｎ２での動作を説明する。抵抗Ｒ３及びショットキーダイオードＤ２が、図３のフィードバック回路２８を形成する。ＭＯＳＦＥＴ  Ｍ２のソース電圧がショットキーダイオードＤ２の順方向電圧だけＭＯＳＦＥＴ  Ｍ１のソース電圧より高くなると直ちに、一部の電流が抵抗Ｒ３及びＲ１を通って迂回されることになる。抵抗Ｒ１を通る電流は、今や、抵抗Ｒ３及びＭＯＳＦＥＴ  Ｍ１の双方からなる。これは、図２のＩｉｎ２におけるニー（折れ線）ポイントであり、ＭＯＳＦＥＴ  Ｍ１の電流Ｉｗのロールオフ（低下）の開始である。抵抗Ｒ１を通るこの追加電流は、ツェナーダイオードＵ１に、抵抗Ｒ１の上ノードにおける電圧を１．２５ボルトに維持するためのＭＯＳＦＥＴ  Ｍ１のゲート電圧を更に低下させる。より大きい抵抗Ｒ２は、Ｉｉｎ２をｘ軸上左側に移動させる。ロールオフの傾きは、抵抗Ｒ３によって決定される。抵抗Ｒ３の値が高いほど、傾きが小さくなる。ツェナーダイオードＵ１及びＵ２、並びに抵抗Ｒ６、Ｒ７、Ｒ４、及びＲ２が、制御回路２２（“ＬＥＤコントローラ”としても参照される）の機能を果たす。より具体的には、制御回路２２は、上述のように、スイッチ２４（ＭＯＳＦＥＴ  Ｍ２）を制御して、クールＬＥＤ１２を通る電流の流れを可能又は不可能にするとともに、クランプ回路２６（ツェナーダイオードＵ１、抵抗Ｒ１、Ｒ５、Ｒ８、及びＭＯＳＦＥＴ  Ｍ１を含む電流レギュレータ）を制御して、ウォームＬＥＤ１４を通る電流をクランプする。なお、制御回路２２及びクランプ回路２６は、図４に示した回路の特定のコンポーネントを含むとして説明したが、少なくとも一部の観点において、制御回路２２とクランプ回路２６との間の境界は完全には描かれない。例えば、抵抗Ｒ６及びＲ７は制御回路２２の一部であるとして説明され、抵抗Ｒ５はクランプ回路２６の一部であるとして説明されているが、これらの抵抗が協働して制御回路２２及びクランプ回路２６の双方の機能を果たす。当業者が認識することには、図４に示した様々な要素は、図３の要素に対応するように様々にグループ化され得る。
【００３４】
抵抗Ｒ９、ダイオードＤ１、及びキャパシタＣ１が、電圧バッファを形成する。これは、両方のＭＯＳＦＥＴのゲート電圧がそれらの限界内にあること、及び抵抗分圧器（Ｒ５、Ｒ６、Ｒ７）の結果が予測可能であることを確実にする。
【００３５】
Ｉｉｎ１未満の入力電流でクールＬＥＤ１２を完全にターンオフさせることが望ましくない場合、図２のＩｃ２の線によって示されるように、ＭＯＳＦＥＴ  Ｍ２を、Ｉｉｎ（ｍｉｎ）とＩｉｎ１との間でロールオフするように制御することができる。これは、ＭＯＳＦＥＴ  Ｍ２と並列のリークパスとして、ノードｖｃｓ２とｖｓ２との間に抵抗を接続することによって行われることができる。
【００３６】
図５は、１００％と約１０％（最小減光）との間で調光する間に、結果として得られるランプのＣＣＴ出力３４が、ハロゲン電球の理想ＣＣＴに対して、いかに同一同然であるかを示している。
【００３７】
本発明システムは、高周波フィルタを必要とせず、非常に小型で安価に作製され得る。これは、アナログ入力電流を調節する任意のタイプの調光回路と共に使用されることができる。
【００３８】
図６Ａは、暖色化減光回路１６を、タップ付き線形ＬＥＤドライバ４０と共に使用することを示している。ＡＣ幹線電圧から動作するタップ付き線形ＬＥＤドライバは、よく知られており、商業的に入手可能である。ドライバ４０は、ＭａｇｎａＣｈｉｐ社によるＭＡＰ９０１０  ＡＣ  ＬＥＤドライバ４０、又はその他の好適なドライバとし得る。
【００３９】
ドライバ４０は、全波ダイオードブリッジ４２から整流されたＡＣ信号を受け取る。ＡＣ信号は幹線電圧４４とし得る。ヒューズ４５（抵抗記号によって表されている）が回路を過電流から保護し、キャパシタ４６が過渡電流を平滑化し、そして、過渡電流抑制器４８がスパイクを制限する。ドライバ４０は、入来するＤＣ信号のレベルの上昇及び低下を検知し、図６Ｂに示すように、その４つの出力ＩＯＵＴ０−ＩＯＵＴ３に次々に電流を与える。一度に１つの電流のみが４つの出力端子のうちのいずれかに出力され、第１グループの直列ＬＥＤの順方向電圧をちょうど超える低いＤＣ電圧レベルでは、ＩＯＵＴ０のみが電流を出力して第１グループのＬＥＤを活性化させる。ＬＥＤのストリング全体の順方向電圧を超えるものである最大ＤＣ電圧レベルの近くでは、ＩＯＵＴ３のみが電流を出力してストリング全体を活性化させる。ダイオード４９は、全ての電流がドライバ４０に流れ込むだけであることを保証する。例えばユーザ制御される調光器からなどの制御信号５０によって、アナログ駆動電流が制御される。
【００４０】
左側の第１グループのＬＥＤは、ＤＣ電圧が第１グループのＬＥＤの順方向電圧より高く上昇しているときにオンしているので、最も多くオンであり、右側の第４グループのＬＥＤは、ＤＣ電圧が最高レベルの近くであるときのみターンオンされるので、最も少なくオンである。電流がＩＯＵＴ０からＩＯＵＴ３に徐々に増加して、ＤＣレベル変化に伴って活性化ＬＥＤの数が絶えず変化するときの知覚可能なフリッカを抑制する。各グループに、１つのクールＬＥＤ１２及び１つのウォームＬＥＤ１４のみが示されているが、各グループにもっと多くのＬＥＤが存在し得る。
【００４１】
電流ＩＯＵＴ０−ＩＯＵＴ３が同じ調光レベルで異なることの結果として、クールＬＥＤ１２への電流ＩｃとウォームＬＥＤ１４への電流Ｉｗとの組み合わせが、暖色化減光回路１６Ａ−１６Ｄの各々に対して調節され、それにより、全ての調光レベルで各グループのＬＥＤのＣＣＴが一致し、ランプのＣＣＴがサイクル毎に揺らぐことが回避される。各調光レベルでＣＣＴを一致させることは、抵抗Ｒ１、Ｒ２、Ｒ３（図４）の値を調節することによって行われる。例えば、クールＬＥＤ及びウォームＬＥＤが同時にオンである特定の調光レベルでＩＯＵＴ０電流（最も低い）を受け取る暖色化減光回路１６Ａでは、暖色化減光回路１６Ａは、ＩＯＵＴ３電流（最も高い）を受け取る暖色化減光回路１６Ｄと同じ比の電流Ｉｃ及びＩｗをクールＬＥＤ及びウォームＬＥＤに与える。当業者は、いずれの調光レベルでも暖色化減光回路１６Ａ−１６Ｄの各々について等しいＣＣＴを維持するために、Ｒ１、Ｒ２、及びＲ３の値を容易に選択することができる。
【００４２】
図７は、そのデータシートから再現したＭＡＰ９０１０ドライバ内の機能ユニットを示している。整流されたＤＣ電圧がＡＣサイクル中に変化するときに出力ＩＯＵＴ０−ＩＯＵＴ３にて所望の電流を次々に供給するよう、ＭＯＳＦＥＴ６０が制御される。出力ＩＯＵＴ０−ＩＯＵＴ３における電流を制御するために、アナログ調光信号が端子ＲＤＩＭに与えられる。この動作はデータシートに更に説明されており、それをここに援用する。
【００４３】
上述の暖色化減光回路１６は、調光のために可変電流を提供する従来のＬＥＤドライバと共に使用されることが可能な単純な３端子ＩＣとし得る。暖色化減光回路１６は、高周波フィルタリングコンポーネント（例えば、大きいキャパシタ又はインダクタ）を必要とせず、それ故に、ＬＥＤと共にプリント回路基板上に容易に実装される。マイクロプロセッサは必要でない。
【００４４】
本発明の特定の実施形態を図示して説明してきたが、当業者に自明であるように、より広い態様での本発明から逸脱することなく変形及び変更が為され得るのであり、故に、添付の請求項は、それらの範囲内に、本発明の真の精神及び範囲に入る全ての変形及び変更を包含すべきものである。
【図１】
2019515440.tif 000003
【図２】
2019515440.tif 000004
【図３】
2019515440.tif 000005
【図４】
2019515440.tif 000006
【図５】
2019515440.tif 000007
【図６】
2019515440.tif 000008
【図７】
2019515440.tif 000009
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
最小輝度−最大減光レベルと最大輝度−最小減光レベルとの間で暖色化減光効果を達成するための発光ダイオード（ＬＥＤ）照明システム用の制御回路であって、当該制御回路は、
ウォーム相関色温度（“ＣＣＴ”）ＬＥＤのセットに結合されたクランプ回路と、
クールＣＣＴ  ＬＥＤのセットに結合されたスイッチと、
ＬＥＤコントローラであり、
入力電流に基づき、前記クランプ回路を制御して、前記ウォームＣＣＴ  ＬＥＤのセットを通る電流をクランプ電流レベルにクランプする、
ように構成されたＬＥＤコントローラと、
前記クランプ回路及び前記スイッチに結合されたフィードバック回路であり、前記入力電流が第２の閾レベルを超えること応答して、前記クランプ回路に、前記ウォームＣＣＴ  ＬＥＤのセットから前記クールＣＣＴ  ＬＥＤのセットに電流を迂回させる、ように構成されたフィードバック回路と、
を有する制御回路。
【請求項２】
前記ＬＥＤコントローラは更に、前記スイッチを制御して、前記入力電流が第１の閾レベルよりも大きいことに応答して前記クールＣＣＴ  ＬＥＤのセットをオンに切り換え、前記入力電流が前記第１の閾レベルよりも低いことに応答して前記クールＣＣＴ  ＬＥＤのセットをオフに切り換えるように構成される、請求項１に記載の制御回路。
【請求項３】
前記ＬＥＤコントローラは更に、前記入力電流の振幅を取得するように構成される、請求項１に記載の制御回路。
【請求項４】
前記クランプ回路は、第１のトランジスタと、第１のツェナーダイオードと、第１の抵抗と、第２の抵抗とを有し、
前記第１のツェナーダイオードは、前記第１の抵抗及び前記第２の抵抗を介して、前記ウォームＣＣＴ  ＬＥＤのセットを通る電流を前記クランプ電流レベルでクランプするように、前記第１のトランジスタのゲート電圧を制御するよう構成される、
請求項１に記載の制御回路。
【請求項５】
前記スイッチは、前記クールＣＣＴ  ＬＥＤのセットに結合された第２のトランジスタを有する、請求項４に記載の制御回路。
【請求項６】
前記ＬＥＤコントローラは、前記第１のツェナーダイオードと、第２のツェナーダイオードと、第３の抵抗と、第４の抵抗と、第５の抵抗と、第６の抵抗とを有し、
前記第３の抵抗、前記第４の抵抗、及び前記第２のツェナーダイオードは、前記第１のツェナーダイオードが導通することに応答して、前記第２のトランジスタを導通させるように構成される、請求項５に記載の制御回路。
【請求項７】
前記フィードバック回路は、ショットキーダイオードと、第７の抵抗とを有し、前記ショットキーダイオード及び前記第７の抵抗は、前記第２のトランジスタのソース電圧が前記第１のトランジスタのソース電圧よりも高いことに応答して、前記第２のトランジスタから前記第７の抵抗を介して前記第１の抵抗に電流を迂回させることで、前記第１のトランジスタの前記ゲート電圧を低下させ、それにより、前記ウォームＣＣＴ  ＬＥＤのセットを通る電流を減少させるように構成される、請求項６に記載の制御回路。
【請求項８】
前記第１の抵抗は、前記第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項７に記載の制御回路。
【請求項９】
前記第２のツェナーダイオードは、前記第２のトランジスタのゲートと前記グランド端子とに結合され、前記第２のツェナーダイオードの制御端子が、前記第３の抵抗及び前記第４の抵抗に結合され、
前記第３の抵抗は、前記第１のトランジスタの前記ゲートに結合され、
前記第４の抵抗は、前記グランド端子と前記第３の抵抗とに結合され、
前記第５の抵抗は、高電圧と前記第２のトランジスタの前記ゲートとに結合され、
前記第６の抵抗は、前記第２のトランジスタのソースと前記グランド端子とに結合される、
請求項８に記載の制御回路。
【請求項１０】
前記ショットキーダイオードは、前記第２のトランジスタの前記ソースと前記第７の抵抗とに結合され、
前記第７の抵抗は、前記第１のトランジスタの前記ソースに結合される、
請求項９に記載の制御回路。
【請求項１１】
前記ウォームＣＣＴ  ＬＥＤはおよそ４０００Ｋの色温度を持ち、前記クールＣＣＴ  ＬＥＤはおよそ２２００Ｋの色温度を持つ、請求項１に記載の制御回路。
【請求項１２】
ＬＥＤ照明システムを制御する方法であって、
入力電流に基づき、クランプ回路を制御して、ウォームＣＣＴ  ＬＥＤのセットを通る電流をクランプ電流レベルにクランプすることと、
前記クランプ回路とスイッチとに結合されたフィードバック回路を用いることにより、前記入力電流が第２の閾レベルを超えること応答して、前記クランプ回路に、前記ウォームＣＣＴ  ＬＥＤのセットからクールＣＣＴ  ＬＥＤのセットに電流を迂回させることと、
を有する方法。
【請求項１３】
スイッチを制御して、前記入力電流が第１の閾レベルよりも大きいことに応答して前記クールＣＣＴ  ＬＥＤのセットをオンに切り換え、前記入力電流が前記第１の閾レベルよりも低いことに応答して前記クールＣＣＴ  ＬＥＤのセットをオフに切り換えること、
を更に有する請求項１２に記載の方法。
【請求項１４】
前記電流をクランプすることは、第１の抵抗及び第２の抵抗を介して、前記クランプ電流レベルにて、前記ウォームＣＣＴ  ＬＥＤのセットに結合された第１のトランジスタのゲート電圧を制御することを有し、
前記第１の抵抗は、第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項１２に記載の方法。
【請求項１５】
前記クールＣＣＴ  ＬＥＤのセットをオンに切り換えることは、前記第１のツェナーダイオードが導通することに応答して第２のトランジスタを導通させることを有する、請求項１２に記載の方法。
【請求項１６】
前記ウォームＣＣＴ  ＬＥＤのセットから前記クールＣＣＴ  ＬＥＤのセットに電流を迂回させることは、
前記第２のトランジスタのソース電圧が前記第１のトランジスタのソース電圧よりも高いことに応答して、前記第２のトランジスタから第３の抵抗を介して第４の抵抗に電流を迂回させることで、前記第１のトランジスタのゲート電圧を低下させ、それにより、前記ウォームＣＣＴ  ＬＥＤのセットを通る電流を減少させる
ことを有する、請求項１５に記載の方法。
【請求項１７】
発光ダイオード（ＬＥＤ）照明システム用の制御回路であって、
ウォーム相関色温度（“ＣＣＴ”）ＬＥＤのセットに結合されたクランプ回路と、
クールＣＣＴ  ＬＥＤのセットに結合されたスイッチと、
ＬＥＤコントローラであり、
調節可能な入力電流の電流振幅を取得し、
前記電流振幅が第１の電流閾値よりも低い場合に、前記スイッチにより前記クールＣＣＴ  ＬＥＤのセットを切断して、前記調節可能な入力電流が前記ウォームＣＣＴ  ＬＥＤのセットを流れるようにし、
前記調節可能な入力電流が、前記第１の電流閾値よりも高く調節されたが、第２の電流閾値よりも低いままである場合に、前記クランプ回路を制御して、前記ウォームＣＣＴ  ＬＥＤのセットを通る電流を一定のクランプ電流レベルにクランプし、
前記調節可能な入力電流が、前記第１の電流閾値よりも高く調節されたが、前記第２の電流閾値よりも低いままである場合に、前記スイッチを閉じて前記入力電流の一部が前記クールＣＣＴ  ＬＥＤのセットを流れることを可能にし、
前記調節可能な入力電流が、前記第２の電流閾値よりも高く、且つ前記第２の電流閾値を過ぎて最大電流まで増加していく場合に、前記ウォームＣＣＴ  ＬＥＤのセットを通る前記電流を徐々にゼロまで減少させ、
前記調節可能な入力電流が、前記第２の電流閾値よりも高く、且つ前記第２の電流閾値を過ぎて前記最大電流まで増加していく場合に、前記クールＣＣＴ  ＬＥＤのセットを流れる前記入力電流を前記最大電流まで増加させ、前記クールＣＣＴ  ＬＥＤのセットを流れる前記入力電流を増加させることは、前記ウォームＣＣＴ  ＬＥＤのセットから前記クールＣＣＴ  ＬＥＤのセットに電流を迂回させることを有する、
ように構成されたＬＥＤコントローラと、
を有する制御回路。
【請求項１８】
当該制御回路は更に、前記クランプ回路及び前記スイッチに結合されたフィードバック回路を有し、該フィードバック回路は、前記入力電流が前記第２の電流閾値を超えること応答して、前記クランプ回路に、前記ウォームＣＣＴ  ＬＥＤのセットから前記クールＣＣＴ  ＬＥＤのセットに電流を迂回させる、ように構成される、請求項１７に記載の制御回路。
【請求項１９】
前記電流をクランプすることは、第１の抵抗及び第２の抵抗を介して、前記クランプ電流レベルにて、前記ウォームＣＣＴ  ＬＥＤのセットに結合された第１のトランジスタのゲート電圧を制御することを有し、
前記第１の抵抗は、第１のツェナーダイオードの制御端子と、前記第１のトランジスタ及び前記第２の抵抗の双方とに結合され、
前記第１のツェナーダイオードのアノードがグランド端子に結合され、前記第１のツェナーダイオードのカソードが前記第１のトランジスタのゲートに結合される、
請求項１７に記載の制御回路。
【請求項２０】
前記スイッチを閉じて前記入力電流の一部が前記クールＣＣＴ  ＬＥＤのセットを流れることを可能にすることは、前記第１のツェナーダイオードが導通することに応答して第２のトランジスタを導通させることを有する、請求項１９に記載の制御回路。
【国際調査報告】
2019515440.tif 000010
2019515440.tif 000011
2019515440.tif 000012